(57)【特許請求の範囲】
【請求項１】
金属板で横断面横長矩形状に形成した筒状体の前後両端部に夫々金属製の小口塞ぎを接合してパネル本体を形成し、このパネル本体内に充填材を充填してなる建築用パネルにおいて、前記小口塞ぎを、板状本体と両側一対の接合用フランジ部とで横断面略コ字状に形成すると共に、その板状本体ができるだけ筒状体の前後端縁に近い位置で小口を塞ぐように接合用フランジ部を幅狭に形成し、小口塞ぎの左右両端部では、接合用フランジ部の幅を広くすると共に、この左右両端部の幅広フランジ部分を板状本体の左右両端部分と共に筒状体の内方へ湾曲状に突入させることによって、パネル取付用空間部を形成してなることを特徴とする建築用パネル。
【請求項２】
片側の接合用フランジ部の両端幅広フランジ部分とこれに対応する筒状体の部分に、ボルト・ナット締付作業用開口部を形成してなることを特徴とする請求項１に記載の建築用パネル。
【発明の詳細な説明】
【０００１】
【発明の属する技術分野】
本発明は、建物の床パネルや壁パネル等として使用される建築用パネルに関するもので、特に、横断面横長矩形状に形成した金属製筒状体の両端部に夫々金属製の小口塞ぎを取り付けて密閉状のパネル本体を形成し、このパネル本体内に充填材を充填してなる建築用パネルに関する。
【０００２】
【従来の技術】
図７は、従来の建築用パネル、例えば床用のパネル２１の外観斜視図であり、このパネル２１の端部側の水平断面図を図６の（Ｂ）に示す。この従来のパネル２１は、金属板によって横断面横長矩形状に形成した筒状体１５の両端部に夫々金属製の小口塞ぎ１４を取り付けて密閉状のパネル本体５を形成し、このパネル本体５内に充填材６を充填してなるものである。また、各小口塞ぎ１４は、板状本体１７と上下両板部１８，１８とによって断面コ字状に形成されたもので、そのコ字状開口部を外側に向けた状態で筒状体１５の端部に嵌合して小口を塞ぎ、上下板部１８，１８と筒状体１５の金属板とを、かしめたり、リベット結合したり、溶接するなどして、筒状体１５の端部に取り付ける。また、この床パネルをＨ形鋼等からなる梁材にボルトで固定するために、各小口塞ぎ１４の両端部には下板部１８側にボルト挿通孔１０が明けてあり、またこのボルト挿通孔の真上位置に対応する上板部１８の端部にはボルト・ナット締付作業用の切欠部１１が形成されている。
【０００３】
【発明が解決しようとする課題】
上記のような従来のパネル２１は、筒状体１５の小口を塞ぐ小口塞ぎ１４が、板状本体１７と上下両板部１８，１８とにより断面コ字状に形成されたものであって、パネル本体５の長手方向両端部には、夫々断面コ字状の小口塞ぎ４によって、充填材の充填されない可成り大きい未充填部、つまり空洞部が形成される。しかして、例えば床用パネルの場合には、そのような空洞部が床衝撃音に対し弱点となって、床全体として遮音レベルの評価が下がる要因となる。また、壁用パネル等の断熱性を要求される部位での使用においては、上記のような空洞部が断熱性能での弱点となり、結露の問題等や耐火性能の弱点となる。
【０００４】
一方、このパネル２１は、ボルト・ナットによって梁材等に強固に固定されることが必要であるため、小口塞ぎの両端部には、ボルト・ナットによるパネル取付用空間部（未充填部）を確保する必要がある。
【０００５】
本発明は、上記のような課題に鑑み、パネル本体に形成される未充填部、つまり空洞部を極力少なくして、遮音性や断熱性の向上を図ることができる建築用パネルを提供することを目的とする。
【０００６】
【課題を解決するための手段】
請求項１に係る発明は、金属板で横断面横長矩形状に形成した筒状体１５の前後両端部に夫々金属製の小口塞ぎ４を接合して密閉状のパネル本体５を形成し、このパネル本体５内に充填材６を充填してなる建築用パネルにおいて、前記小口塞ぎ４を、板状本体７と両側一対の接合用フランジ部８，８とで横断面略コ字状に形成すると共に、板状本体７ができるだけ筒状体１５の前後端縁１５ｏに近い位置で小口Ｏを塞ぐように接合用フランジ部８を幅狭に形成し、小口塞ぎ４の左右両端部では、接合用フランジ部８を幅広に形成すると共に、この左右両端部の幅広フランジ部分８ａを板状本体７の左右両端部分７ａと共に筒状体１５の内方へ湾曲状に突入させることによって、パネル取付用空間部９を形成してなることを特徴とする。
【０００７】
請求項２は、請求項１に記載の建築用パネルにおいて、片側の接合用フランジ部８の両端幅広フランジ部分８ａ，８ａとこれに対応する筒状体の部分に、ボルト・ナット締付作業用開口部１６を形成してなることを特徴とする。
【０００８】
【発明の実施の形態】
図１は本発明に係る建築用パネル１を示す斜視図であり、図２はパネル１を構成するパネル本体１５の分解斜視図、図３はパネル１の一部拡大斜視図である。図４は図３のＸ−Ｘ線拡大断面図、図５は図３のＹ−Ｙ線拡大断面図であり、図６は図１のＺ−Ｚ線拡大断面図である。これらの図を参照して分かるように、本発明のパネル１は、金属板を横断面略コ字状に折曲して形成した上下一対のパネル部材２，３を接合することにより横断面横長矩形状筒状体１５を形成し、この筒状体１５の前後両端部に夫々金属製の小口塞ぎを接合して密閉状のパネル本体５を形成し、この密閉状パネル本体５内に充填材６を充填したものである。
【０００９】
上記パネル本体５の筒状体１５を形成するにあたり、上下のパネル部材２，３を接合するには、例えば、各パネル部材２，３の両側縁部に接合用係嵌部（図示省略）を形成しておいて、両パネル部材２，３の互いに対向する接合用係嵌部どうしを係嵌してかしめるようにすればよい。こうしてかしめ接合した両パネル部材２，３のかしめ接合部を図１及び図２にＫ１で示す。
【００１０】
上記のように形成される筒状体１５の前後両端部に夫々接合してその小口Ｏ（筒状体１５の開口端面のことで、図２に示す）を塞ぐための小口塞ぎ４は、板状本体７と、両側一対の接合用フランジ部８，８とによって横断面略コ字状に形成されるものではあるが、この小口塞ぎ４は、図７に示す従来の小口塞ぎ１４とは違って、板状本体７ができるだけ筒状体１５の前後端縁１５ｏに近い位置で筒状体１５の小口Ｏを塞ぐように、接合用フランジ部８，８が夫々可能な限り幅狭に形成され、そして小口塞ぎ４の左右両端部では、その各端部にボルト１２・ナット１３によるパネル取付用空間部９を形成するために、各接合用フランジ部の左右両端部分８ａ，８ａが夫々幅広に形成されると共に、この幅広フランジ部分８ａ，８ａが板状本体７の左右両端部分７ａ，７ａと共に筒状体１５の内方へ湾曲状に突入するように形成されている。
【００１１】
各小口塞ぎ４の上下両側一対の接合用フランジ部８，８のうち、下側の接合用フランジ部８の両端幅広フランジ部分８ａ，８ａには、パネル１を梁材等のパネル受けに取り付ける際に使用されるボルト挿通孔１０が筒状体１５のパネル部材３に亘って貫通形成されている。また図２から分かるよう、上側の接合用フランジ部８の両端幅広フランジ部分８ａ，８ａと、この幅広フランジ部分８ａに対応する筒状体１５のパネル部材２の部分には、上記ボルト挿通孔１０に挿通されるボルト１２とこれに螺合されるナット１３（図３参照）との締付作業を行うためのボルト・ナット締付作業用開口部１６が形成されている。この開口部１６は、切欠部からなるが、このような切欠部の代わりに、比較的大きな丸孔を上記幅広フランジ部分８ａとこれに対応するパネル部材２の部分に開口してもよい。
【００１２】
尚、小口塞ぎ４の左右両端には、端部補強片７ｂ，７ｂが設けてある。各端部補強片７ｂは、板状本体７の左右端部７ａを延長したものを直角に折り曲げて、フランジ部分８ａ，８ａ間に挟み込み、溶接によりフランジ部分８ａに接合することによって形成される。また、各端部補強片７ｂの外側面には、筒状体１５を形成する上下パネル部材２，３のかしめ接合部Ｋ１を嵌合させる嵌合溝部７ｂｏが形成されている。
【００１３】
筒状体１５を形成する各パネル部材２，３は、厚さが０．５〜２．３ｍｍ程度メッキ鋼板や塗装鋼板等によって形成される。各小口塞ぎ４は、パネル部材２，３よりも十分厚い鋼板によって形成されるもので、パネル１の大きさ等に応じて任意の板厚の鋼板が使用される。また、筒状体１５の前後両端部に接合される両小口塞ぎ４，４のうちの何れか一方には、図１に点線で示すように、パネル本体５内に充填材６を充填するための充填孔１７及びエア抜き孔１８が設けられている。
【００１４】
筒状本体１を形成するにあたって、筒状体１５の前後両端部に小口塞ぎ４を接合するには、図２に示すように、小口塞ぎ４を、そのコ字状開口部４ｏを外側に向けた状態で筒状体１５の端部内に嵌合し、そして両側一対の接合用フランジ部８，８と筒状体１５のパネル部材２，３とをかしめることより、小口塞ぎ４を筒状体１５の前後端部に接合する。図１及び図３には、小口塞ぎ４の接合用フランジ部８とパネル部材２，３とのかしめ部をＫ２で示す。尚、この実施形態では、小口塞ぎ４の接合用フランジ部８とパネル部材２，３とをかしめによって接合しているが、かしめに限るものではなく、リベットやスポット溶接等によって接合することができる。
【００１５】
小口塞ぎ４は、前記のように、板状本体７ができるだけ筒状体１５の前後端縁１５ｏに近い位置で筒状体１５の小口Ｏを塞ぐように、接合用フランジ部８，８が可能な限り幅狭に形成されているが、この接合用フランジ部８が可能な限り幅狭に形成されているとは、この接合用フランジ部８を、筒状体１５のパネル部材２，３の端縁部に対しかしめ接合したり、あるいはリベット接合やスポット溶接するのに最小限度必要とされる幅に形成されている、と云う意味である。
【００１６】
上記のように筒状体１５の前後両端部に夫々小口塞ぎ４を接合して密閉状のパネル本体５を形成した後、この密閉状パネル本体５の内部に、液状の充填材６、例えばセメント系気泡ミルクを充填する。この気泡ミルクの充填は、片方の小口塞ぎ４に設けられた充填孔１７及びエア抜き孔１８を利用して行う。しかして、パネル本体５内に充填された気泡ミルクが一定時間の経過に伴い発泡固化して、図１に示すようなパネル１が出来上がる。
【００１７】
図３は、上記のようにして形成されたパネル１の端部をＨ形鋼よりなる梁２０（パネル受け材）に取り付けている状態を示すもので、このパネル１の端部を梁２０の上に載せて、小口塞ぎ４の左右端部にあるパネル取付用空間部９における下側接合用フランジ部８の幅広フランジ部分８ａに設けてあるボルト挿通孔１０を、梁２０のフランジ部２０ａに設けてあるボルト挿通孔２１に合わせる。この後、図４に示すように、梁２０のボルト挿通孔２１からボルト１２を上記幅広フランジ部分８ａのボルト挿通孔１０に通し入れて、ナット１３を螺合し、そして上側接合用フランジ部８の端部幅広フランジ部分８ａにあるボルト・ナット締付作業用切欠部１６より例えば自動ねじ回し装置の回転ヘッド２２をパネル取付用空間部９内に挿入し、ナット１３を回してボルト１２を締め付け、これによってパネル１の端部を梁２０上に固定する。
【００１８】
図４は、パネル１の端部を梁２０上に固定した状態を小口塞ぎ４の左右端部のパネル取付用空間部９のところで断面した縦断面図であるが、図５は、同じくパネル１の端部を梁２０上に固定した状態をパネル取付用空間部９以外のところで断面した縦断面図である。この図５を参照すれば、小口塞ぎ４の板状本体７が筒状体１５の前後端縁１５ｏに可能な限り接近した位置で筒状体１５の小口Ｏを塞いでいることが分かる。
【００１９】
図６の（Ａ）は上述した本発明に係るパネル１の端部側の水平断面図であり、同図の（Ｂ）は図７に示す従来のパネル２１の端部側の水平断面図である。両図を比較参照して分かるように、本発明のパネル１では、小口塞ぎ４の左右両端部を除き、その板状本体７ができるだけ筒状体１５の前後端縁に近い位置で筒状体１５の小口Ｏを塞ぐように、接合用フランジ部８，８が可能な限り幅狭に形成されて筒状体１５の端部に接合されているから、従来のパネル２１と比較すると、パネル本体５の端部において気泡ミルク等の充填材６の充填されない未充填部、つまり空洞部が格段に少なくなっている。即ち、本発明に係るパネル１によれば、図６（Ａ）の仮想線２３と小口塞ぎ４の接合用フランジ部８とによって囲まれる領域２４にも気泡ミルク等の充填材６が充填されるから、従来のパネル２１に比べて、当該領域２４分だけ空洞部分が少なくなり、それだけ遮音性や断熱性の向上を図ることができる。
【００２０】
【発明の効果】
請求項１に係る発明の建築用パネルによれば、小口塞ぎを板状本体と両側一対の接合用フランジ部とで横断面略コ字状に形成すると共に、板状本体ができるだけ筒状体の前後端縁に近い位置で小口を塞ぐように接合用フランジ部を幅狭に形成したことにより、パネル本体の小口塞ぎ部分に形成される未充填部、即ち空洞部を極力少なくすることができ、それによってパネルの遮音性や断熱性の向上を図ることができる。
【００２１】
また、小口塞ぎの左右両端部では、接合用フランジ部分を幅広に形成すると共に、この幅広フランジ部分を板状本体部分と共に筒状体の内方へ突入させるように形成して、ボルト・ナットによるパネル取付用空間部を確保しているから、このパネル取付用空間部によってパネルをボルト・ナットで梁材等のパネル受け材に強固に取付け固定することができる。
【００２２】
請求項２に係る発明の建築用パネルによれば、片側の接合用フランジ部の両端幅広フランジ部分とこれに対応する筒状体の部分に、ボルト・ナット締付作業用の開口部を形成しているから、パネル取付作業時のボルト・ナットの締付作業を容易に行なうことができる。
【図面の簡単な説明】
【図１】  本発明に係る建築用パネルを示す斜視図である。
【図２】  パネルを構成するパネル本体の分解斜視図である。
【図３】  同パネルの一部拡大斜視図である。
【図４】  図３のＸ−Ｘ線拡大断面図である。
【図５】  図３のＹ−Ｙ線拡大断面図である。
【図６】  （Ａ）は図１のＺ−Ｚ線拡大断面図であり、（Ｂ）は従来のパネルの（Ａ）と同様な断面図である。
【図７】  従来の建築用パネルを示す斜視図である。
【符号の説明】
１              建築用パネル
２，３          パネル部材
４              小口塞ぎ
５              パネル本体
６              充填材
７              小口塞ぎの板状本体
８              小口塞ぎの接合用フランジ部
９              パネル取付用空間部
１５            筒状体
Ｏ              筒状体の小口
１５ｏ          筒状体の前後端縁
１６            ボルト・ナット締付作業用の開口部
【図１】
0003747184.tif 000002
【図２】
0003747184.tif 000003
【図３】
0003747184.tif 000004
【図４】
0003747184.tif 000005
【図５】
0003747184.tif 000006
【図６】
0003747184.tif 000007
【図７】
0003747184.tif 000008